(57)【要約】【課題】白黒印刷したときの印刷結果を意識しながらカラー画像を作成することを容易に可能にする表示装置を提供する。【解決手段】表示装置１は、カラービデオ信号を色成分を抑えた白黒ビデオ信号に変換する白黒ビデオ信号生成部２０を備えており、表示パネル部８にカラービデオ信号に基づく画像を表示させる「カラー表示モード」と白黒ビデオ信号に基づく画像を表示させる「白黒表示モード」とを、ユーザの操作に応じて切り換え可能に構成されている。【選択図】図１
2014203028.tif 000002
【特許請求の範囲】
【請求項１】
表示部と、
カラービデオ信号を、色成分を抑えた白黒ビデオ信号に変換する白黒ビデオ信号生成部と、
前記表示部に前記カラービデオ信号に基づく画像を表示させるカラー表示モードおよび前記表示部に前記白黒ビデオ信号に基づく画像を表示させる白黒表示モードを、ユーザの操作に応じて切り換える表示モード切換部と、
を備えることを特徴とする表示装置。
【請求項２】
前記ユーザの操作は、前記表示装置本体に配設された操作部または前記表示装置を遠隔操作するリモートコントロール装置を通して入力される
請求項１記載の表示装置。
【請求項３】
白黒ビデオ信号生成部は、
ＲＧＢフォーマットの前記カラービデオ信号を、ＹＵＶフォーマットのビデオ信号に変換する色空間変換部と、
前記色空間変換部が出力した前記ＹＵＶフォーマットのビデオ信号に対し、色飽和度を抑制する処理を行う色飽和度制御部と、
前記色飽和度制御部により色飽和度が抑制された前記ＹＵＶフォーマットのビデオ信号を、ＲＧＢフォーマットに変換することで前記白黒ビデオ信号を生成する色空間逆変換部とを備える
請求項１または請求項２記載の表示装置。
【請求項４】
前記白黒ビデオ信号に対し、色温度設定および黒領域を浮かせる階調補正を行う階調補正部をさらに備える
請求項１から請求項３のいずれか一項記載の表示装置。
【請求項５】
前記表示モード切換部は、ユーザによるワンタッチ操作により、前記カラー表示モードと前記白黒表示モードとを切り換える
請求項１から請求項４のいずれか一項記載の表示装置。
【請求項６】
前記白黒表示モードのときに、白黒表示モードである旨を前記表示部に表示させるＯＳＤ（On Screen Display）表示制御部をさらに備える
請求項１から請求項５のいずれか一項記載の表示装置。
【請求項７】
前記表示モード切換部は、前記白黒表示モードの状態で、前記表示装置の電源オフ／オン操作、前記表示装置に配設された操作部の任意の操作、もしくはリモートコントロール装置の任意の操作が行われると、前記白黒表示モードを解除して前記カラー表示モードへ切り換える
請求項１から請求項６のいずれか一項記載の表示装置。
【発明の詳細な説明】
【技術分野】
【０００１】
本発明は、表示装置に関するものであり、特に、例えばコンピュータ装置などの外部装置に接続されて使用される表示装置に関するものである。
【背景技術】
【０００２】
プリンタにカラー印刷機能がありながら、ランニングコストや環境への配慮の観点から、白黒印刷をメインに使用する場合がある。プリンタでカラー画像を白黒印刷する場合、例えば国際標準規格化団体であるＩＴＵ（International Telecommunication Union）で定められたＩＴＵ−ＲＢＴ６０１などの色空間変換式を用いて、カラー画像から白黒画像への変換が行われる。
【０００３】
液晶ディスプレイなどの表示装置の画面を見ながらカラー文書やカラーチャートを作成し、それをプリンタで白黒印刷した場合、画面では見えていた色や異なる色同士の境界線が実際の印刷物では見え難くなることがあり、所望の印刷結果を得るために試し刷りと修正を何度も行う必要が生じることがある。
【０００４】
カラー文書やカラーチャートなどを作成するためのアプリケーションソフトウェアには、表示装置の画面上でプリンタによる印刷結果を確認できる「印刷プレビュー」機能を有するものあるが、アプリケーションソフトウェアによっては、白黒での印刷プレビューができないものもある。また、白黒での印刷プレビューが可能であっても、正しい白黒階調が出せない簡易的な機能しかないものもある。さらに、印刷プレビュー時に縮小表示されて視認性が悪いものや、印刷プレビュー表示に時間がかかるもの、印刷プレビューさせるための操作が複雑なもの（例えばマウスクリックの操作回数が多いもの）、同時に複数の画像を印刷プレビューできないものなど、使い勝手が十分でないものが少なくない。
【０００５】
表示装置における白黒表示に関する技術としては、例えば下記の特許文献１〜３のようなものが知られている。特許文献１には、日本語ワードプロセッサ等の文章作成装置において、カラー印刷時はカラー表示、モノクロ印刷時はモノクロ表示する技術が開示されている。特許文献２には、カラー画像のデータを、文字、画像、背景に分離し、カラー画像をモノクロ表示する場合に、文字の判読が容易になるようにそれぞれの輝度を変更したり表示を禁止したりする技術が開示されている。特許文献３には、所定の条件に基づいて、カラー画像を構成する要素の全部または一部を白黒化して表示するシステムやプログラムが提案されている。
【先行技術文献】
【特許文献】
【０００６】
【特許文献１】特開平８−６９４５６号公報
【特許文献２】特開２００３−２８３８４８号公報
【特許文献３】特開２００８−８０５９２号公報
【発明の概要】
【発明が解決しようとする課題】
【０００７】
前述のように、表示装置の画面を見ながら作成したカラー文書やカラーチャートを白黒印刷した場合、画面では見えていた色や異なる色同士の境界線が、実際の印刷物では見え難くなることがあり、試し刷りと修正が何度も必要となることがある。この問題点は、特許文献１〜３では十分に解決できない。
【０００８】
本発明は以上のような課題を解決するためになされたものであり、白黒印刷したときの印刷結果を意識しながらカラー画像を作成することを容易に可能にする表示装置を提供することを目的とする。
【課題を解決するための手段】
【０００９】
本発明に係る表示装置は、表示部と、カラービデオ信号を、色成分を抑えた白黒ビデオ信号に変換する白黒ビデオ信号生成部と、表示部にカラービデオ信号に基づく画像を表示させるカラー表示モードおよび表示部に白黒ビデオ信号に基づく画像を表示させる白黒表示モードを、ユーザの操作に応じて切り換える表示モード切換部と、を備えるものである。
【発明の効果】
【００１０】
本発明によれば、ユーザは、白黒表示モードを使用することで、白黒印刷したときの印刷結果に相当する画像を容易に確認することができる。それにより、白黒の印刷結果を意識しながらカラー画像を作成することができ、試し刷りや修正を繰り返すことなく、白黒印刷による所望の印刷結果を得ることができる。
【図面の簡単な説明】
【００１１】
【図１】本発明の実施の形態に係る表示装置の構成を示すブロック図である。
【図２】階調補正で用いられるガンマＬＵＴ（Look Up Table）の例を示す図である。
【図３】ＯＳＤ（On Screen Display）表示を説明するための図である。
【発明を実施するための形態】
【００１２】
図１は、本発明の実施の形態に係る表示装置１の構成を示すブロック図である。表示装置１は、例えば液晶表示装置であり、白黒ビデオ信号生成部２０、表示モード切換部５、階調補正部６、ＯＳＤ（On Screen Display）表示制御部７、表示パネル部８、セレクタ９、タクティルスイッチ（tactile switch）１０、リモコン（リモートコントロール）受光部１１を備えて構成され、リモコン装置１２からの遠隔操作が可能となっている。なお、白黒ビデオ信号生成部２０、階調補正部６およびＯＳＤ表示制御部７は、ソフトウェアに基づくＣＰＵを用いたプログラム処理によって実現されている。
【００１３】
白黒ビデオ信号生成部２０は、コンビュータ装置などの外部装置から表示装置１に入力されたカラービデオ信号を、色成分を抑えた白黒ビデオ信号に変換する機能を有しており、色空間変換部２、色飽和度制御部３、色空間逆変換部４から構成される。本実施の形態では、表示装置１に入力されるカラービデオ信号は、赤色（Red；略称「Ｒ」）信号、緑色（Green；略称「Ｇ」）信号、青色（Blue；略称「Ｂ」）信号で構成されるＲＧＢフォーマットのビデオ信号（ＲＧＢビデオ信号）であるものとする。
【００１４】
色空間変換部２は、表示装置１に入力されたＲＧＢビデオ信号を、ＩＴＵで定められたＩＴＵ−ＲＢＴ６０１の色空間変換式を用いて、輝度（略称「Ｙ」）信号、Ｂ−Ｙ色差（略称「Ｕ」）信号、Ｒ−Ｙ色差（略称「Ｖ」）信号で構成されるＹＵＶフォーマットのビデオ信号（ＹＵＶビデオ信号）に変換する。
【００１５】
ここで、ＩＴＵ−ＲＢＴ６０１で取り扱われるＹＵＶビデオ信号は、Ｙ信号と、Ｕ信号に０．５６４の定数を乗じたＣｂ信号と、Ｖ信号に０．７１３の定数を乗じたＣｒ信号とから構成されるＹＣｂＣｒフォーマットのビデオ信号（ＹＣｂＣｒビデオ信号）である。そのため、本実施の形態では、色空間変換部２は、ＲＧＢビデオ信号をＹＣｂＣｒビデオ信号に変換して出力するものとする。
【００１６】
例えば、ＲＧＢビデオ信号がそれぞれ８ｂｉｔ（０〜２５５階調表記）のＲ、ＧおよびＢの信号から構成される場合、色空間変換部２は、ＩＴＵ−ＲＢＴ６０１に基づいた次の色空間変換式を用いて、ＹＣｂＣｒビデオ信号を生成する。
【００１７】
Y=(0.2999×R+0.587×G+0.114×B)×219/255+16
Cb=(-0.169×R-0.331×G+0.5×B)×224/255+128
Cr=(0.5×R-0.419×G-0.081×B)×224/255+128
【００１８】
色飽和度制御部３は、色空間変換部２が出力したＹＣｂＣｒビデオ信号を、色飽和度を制御したビデオ信号、すなわちＣｂとＣｒの値を抑制したビデオ信号（ＹＣｂ’Ｃｒ’ビデオ信号）に変換する。ＹＣｂＣｒビデオ信号のＣｂおよびＣｒはどちらも１２８がセンターのため、完全に色飽和度を落とすとＣｂ’＝Ｃｒ’＝１２８となり、ＹＣｂ’Ｃｒ’ビデオ信号は色成分を持たないものとなる。
【００１９】
色空間逆変換部４は、色飽和度制御部３が出力したＹＣｂ’Ｃｒ’ビデオ信号を、ＩＴＵ−ＲＢＴ６０１に基づいた下記の色空間逆変換式を用いてＲＧＢフォーマットに戻し、その結果得られるＲ’Ｇ’Ｂ’ビデオ信号に出力する。
【００２０】
R'=((Y-16)×255/219)+1.402×((Cr'-128)×255/224)
G'=((Y-16)×255/219)-0.344×((Cb'-128)×255/224)-0.714×((Cr'-128)×255/224)
B'=((Y-16)×255/219)+1.772×((Cb'-128)×255/224)
【００２１】
ＹＣｂ’Ｃｒ’ビデオ信号は色成分を持たないため、それをＲＧＢフォーマットに変換したＲ’Ｇ’Ｂ’ビデオ信号も色成分を持たない白黒画像のビデオ信号となる。
【００２２】
以下、表示装置１に入力された元のＲＧＢビデオ信号を「カラーＲＧＢビデオ信号」と称し、色空間変換部２の色空間逆変換部４が出力した白黒ＲＧＢビデオ信号を「白黒ＲＧＢビデオ信号」と称す。
【００２３】
表示装置１は、表示パネル部８にカラーＲＧＢビデオ信号に基づく画像を表示させる「カラー表示モード」と、表示パネル部８に白黒ＲＧＢビデオ信号に基づく画像を表示させる「白黒表示モード」という２つの表示モードを有している。カラー表示モードでは、カラーＲＧＢビデオ信号が階調補正部６を通して表示パネル部８に供給され、白黒表示モードでは、白黒ＲＧＢビデオ信号が階調補正部６を通して表示パネル部８に供給される。
【００２４】
表示モード切換部５は、セレクタ９を制御して表示モードの切り替え（すなわち、カラーＲＧＢビデオ信号と白黒ＲＧＢビデオ信号のどちらを階調補正部６および表示パネル部８へ供給するかの切り替え）を行う機能を有している。
【００２５】
表示モード切換部５は、タクティルスイッチ１０またはリモコン受光部１１から送られてくる、表示モードを切り換えるためのイベント信号（以下「表示モード切換信号」）に基づいて、表示モードの切り替えを行う。タクティルスイッチ１０は、表示装置１の筐体に設けられた操作部の一つであり、ユーザの操作に応じて表示モード切換信号を表示モード切換部５へ出力する。また、リモコン受光部１１は、ユーザの操作に応じてリモコン装置１２から送信される表示モード切換信号を受信し、受信した表示モード切換信号を表示モード切換部５へと送る。
【００２６】
本実施の形態では、表示モード切換信号は、ユーザがタクティルスイッチ１０やリモコン装置１２の特定のボタンを押す度に出力され、表示モード切換部５は、表示モード切換信号を受ける毎にカラー表示モードと白黒表示モードとをトグル切り換えするものとする。つまり、タクティルスイッチ１０やリモコン装置１２のボタンは、表示モードを切り換えるためのいわゆる「ダイレクトボタン」（ホットキー）として機能する。これにより、ユーザは、カラー表示モードと白黒表示モードとの切り換えをワンタッチ操作で容易に行うことができる。
【００２７】
階調補正部６は、ＲＧＢビデオ信号に対して色温度設定および黒領域を浮かせる階調補正を行う機能を有している。特に、白黒表示モード時には、図２に示すようなガンマＬＵＴ（Look Up Table）を用いて、白黒ＲＧＢビデオ信号の黒領域を浮かせる階調補正を行う。一般に、実際の印刷物では、液晶表示装置などの画面と比べてコントラストが低く、また環境光にも依存するが色温度が低い。そのため、図２のようなガンマＬＵＴを用いて、白黒ＲＧＢビデオ信号の黒領域を浮かせる階調補正を行うことで、白黒表示モード時に表示パネル部８に表示される白黒画像の画質を、白黒印刷した印刷物の見栄えに近づけることができる。なお、階調補正部６における色温度設定および階調補正は、ガンマＬＵＴを用いずに、例えば乗算器および加算器を用いて行ってもよく、その場合も同様の効果が得られる。
【００２８】
ＯＳＤ表示制御部７は、表示パネル部８の画面にＯＳＤ（On Screen Display）を表示させる機能を有している。特に、白黒表示モードが選択されているとき、ＯＳＤ表示制御部７は、図３のように表示パネル部８の画面の一部に、白黒表示モードである旨のメッセージを常に表示する（図３は、表示パネル部８の画面の右上部分に「白黒表示中」の文字を表示させた例である）。これにより、ユーザは、表示装置１がカラー表示モードか白黒表示モードかを、ＯＳＤの表示から容易に認識できる。
【００２９】
例えば、表示装置１の表示パネル部８に、カラー画像（カラー文書やカラーチャートなど）を作成するためのアプリケーションソフトウェアの編集画面を表示させた状態で、表示装置１を白黒表示モードに切り換えると、アプリケーションソフトウェアの印刷プレビュー機能を用いることなく、編集中のカラー画像を白黒印刷したときの印刷結果に相当する画面が、表示パネル部８に表示される。ユーザは、編集中のカラー画像を白黒印刷した結果を確認できるので、白黒印刷を意識した色修正などを容易に行うことができる。従って、試し刷りや修正を何度も行うことなく、所望の白黒印刷結果を得ることができる。
【００３０】
本実施の形態では、ユーザがタクティルスイッチ１０やリモコン装置１２の特定のボタンを押す毎に、表示モード切換部５がカラー表示モードと白黒表示モードとをトグル切り換えする構成としたが、カラー画像の編集はカラー表示モードで行うのが通常であるので、白黒表示モードからカラー表示モードへ戻す操作は、より簡単に実行できるものであることが好ましい。例えば、白黒表示モードの状態で、表示装置１の電源オフ／オン操作や、表示装置１に設けられた操作部に対する任意の操作、もしくはリモートコントロール装置に対する任意の操作が行われると、白黒表示モードを解除してカラー表示モードへ切り換えるようにしてもよい。これにより、白黒表示モードから通常のカラー表示モードへ戻り易くなる。
【００３１】
なお、本実施の形態では、表示装置１にＲＧＢフォーマットのビデオ信号が入力される例を示したが、表示装置１にＹＵＶフォーマットのビデオ信号が入力される場合は、色空間変換部２の色空間変換をオフにして、色飽和度制御部３にＹＣｂＣｒビデオ信号を入力すればよく、その場合も同様な効果を得ることができる。
【００３２】
また、本実施の形態では、ＩＴＵ−ＲＢＴ６０１に基づいた色空間変換式を用いる例を示したが、例えばＩＴＵ−ＲＢＴ７０９など、他の変換式を用いてもよく、その場合も同様の効果が得られる。
【００３３】
なお、本発明は、その発明の範囲内において、実施の形態を適宜、変形、省略することが可能である。
【符号の説明】
【００３４】
１  表示装置、２  色空間変換部、３  色飽和度制御部、４  色空間逆変換部、５  表示モード切換部、６  階調補正部、７  ＯＳＤ表示制御部、８  表示パネル部、９  セレクタ、１０  タクティルスイッチ、１１  リモコン受光部、１２  リモコン装置、２０  白黒ビデオ信号生成部。
【図１】
2014203028.tif 000003
【図２】
2014203028.tif 000004
【図３】
2014203028.tif 000005